(57)【要約】【課題】順次読み取られた一連の複数の画像データをグループ化したプレビュー画像をリアルタイムに表示可能な画像処理装置及びプログラムを提供する。【解決手段】画像処理装置１は、順次読み取られた一連の複数の画像データを入力する画像データ入力手段２１と、一連の複数の画像データの全てが入力される前に、出力形式に応じて予め定められた画像データの出力条件で一連の複数の画像データのグループ化を開始するグループ化手段２２と、グループ化手段２２によりグループ化された一連の複数の画像データのプレビュー画像を生成するプレビュー画像生成手段２３と、プレビュー画像をグループごとに識別する態様で表示するよう制御する表示制御手段２４とを備える。【選択図】図１
2019220822.tif 000002
【特許請求の範囲】
【請求項１】
順次読み取られた一連の複数の画像データを入力する入力手段と、
前記一連の複数の画像データの全てが入力される前に、出力形式に応じて予め定められた画像データの出力条件で前記一連の複数の画像データのグループ化を開始するグループ化手段と、
前記グループ化手段によりグループ化された前記一連の複数の画像データのプレビュー画像を生成する生成手段と、
前記プレビュー画像をグループごとに識別する態様で表示するよう制御する表示制御手段と、
を備えた画像処理装置。
【請求項２】
前記出力形式は、複数の画像データを同一の用紙に印刷する第１の出力形式であり、
前記グループ化手段は、前記同一の用紙に印刷する前記複数の画像データごとにグループ化する、
請求項１に記載の画像処理装置。
【請求項３】
前記第１の出力形式は、読み取られた順序に従って連続する前記複数の画像データを前記同一の用紙に集約して印刷する集約形式である、
請求項２に記載の画像処理装置。
【請求項４】
前記第１の出力形式は、前記複数の画像データを製本用に各ページに割り付けて出力する製本形式であり、
前記表示制御手段は、前記一連の複数の画像データの入力が全て終了した後に、前記グループ化の条件が変更可能である旨を表示する、
請求項２に記載の画像処理装置。
【請求項５】
前記出力形式は、前記画像データの種類を示す画像種が混在する第２の出力形式であり、
前記グループ化手段は、前記画像種ごとにグループ化する、
請求項１に記載の画像処理装置。
【請求項６】
前記第２の出力形式は、主として文字で構成された画像データと主として写真で構成された画像データとが混在し、
前記グループ化手段は、少なくとも前記主として写真で構成された画像データをグループ化する、
請求項５に記載の画像処理装置。
【請求項７】
前記第２の出力形式は、主として白黒のデータで構成された画像データと主としてカラーのデータで構成された画像データとが混在し、
前記グループ化手段は、少なくとも前記主としてカラーのデータで構成された画像データをグループ化する、
請求項５に記載の画像処理装置。
【請求項８】
前記表示制御手段は、前記出力形式が特定の出力形式以外の場合において、前記一連の複数の画像データの入力が全て終了する前でも要求された場合に、現在表示されている画面を遷移させずに前記グループ化の条件を変更するための変更画面を表示するよう制御する、
請求項１から３、５から７のいずれか１項に記載の画像処理装置。
【請求項９】
前記生成手段は、前記変更画面上で前記グループ化の条件が変更された場合に、変更された前記グループの内容を反映した前記プレビュー画像を生成する、
請求項８に記載の画像処理装置。
【請求項１０】
前記出力形式が前記複数の画像データの入力が全て終了した後でなければページの割り付け決まらない出力形式である場合は、前記表示制御手段は、前記複数の画像データの入力が全て終了した後に前記グループ化の条件が変更可能である旨を表示する、
請求項１に記載の画像処理装置。
【請求項１１】
前記表示制御手段は、要求がされた場合に、現在表示されている画面を遷移させずに前記複数の画像データに対して個別に前記グループ化の対象に含めるか、又は前記グループ化の対象から外すかを設定することが可能な設定画面を表示するよう制御する、
請求項１から１０のいずれか１項に記載の画像処理装置。
【請求項１２】
コンピュータを、
順次読み取られた一連の複数の画像データを入力する入力手段と、
前記一連の複数の画像データの全てが入力される前に、出力形式に応じて予め定められた画像データの出力条件で前記一連の複数の画像データのグループ化を開始するグループ化手段と、
前記グループ化手段によりグループ化された前記一連の複数の画像データのプレビュー画像を生成する生成手段と、
前記プレビュー画像をグループごとに識別する態様で表示するよう制御する表示制御手段、
として機能させるためのプログラム。
【発明の詳細な説明】
【技術分野】
【０００１】
本発明は、画像処理装置及びプログラムに関する。
【背景技術】
【０００２】
近年、入力画像から得られるプリントイメージをプレビュー表示可能であって、複数のページ設定を含むプリント出力に対して、容易に設定を変更することができる画像処理装置が提案されている（例えば、特許文献１参照。）。
【０００３】
特許文献１に記載された画像処理装置は、画像読取部で読み取られ、ハードディスクに記憶された入力画像のうちユーザの操作に従って入力画像を読み出す読出部と、入力画像のプリント出力に係る設定値を受け付ける設定受付部と、読出部により読み出された入力画像を設定受付部で受け付けられた設定値に従って入力画像のプレビュー画像を生成するプレビュー画像生成部とを備える。
【先行技術文献】
【特許文献】
【０００４】
【特許文献１】特許第４６３１９２５号公報
【発明の概要】
【発明が解決しようとする課題】
【０００５】
本発明の課題は、順次読み取られた一連の複数の画像データをグループ化したプレビュー画像をリアルタイムに表示可能な画像処理装置及びプログラムを提供することにある。
【課題を解決するための手段】
【０００６】
［１］順次読み取られた一連の複数の画像データを入力する入力手段と、
前記一連の複数の画像データの全てが入力される前に、出力形式に応じて予め定められた画像データの出力条件で前記一連の複数の画像データのグループ化を開始するグループ化手段と、
前記グループ化手段によりグループ化された前記一連の複数の画像データのプレビュー画像を生成する生成手段と、
前記プレビュー画像をグループごとに識別する態様で表示するよう制御する表示制御手段と、を備えた画像処理装置。
［２］前記出力形式は、複数の画像データを同一の用紙に印刷する第１の出力形式であり、
前記グループ化手段は、前記同一の用紙に印刷する前記複数の画像データごとにグループ化する、前記前記［１］に記載の画像処理装置。
［３］前記第１の出力形式は、読み取られた順序に従って連続する前記複数の画像データを前記同一の用紙に集約して印刷する集約形式である、前記［２］に記載の画像処理装置。
［４］前記第１の出力形式は、前記複数の画像データを製本用に各ページに割り付けて出力する製本形式であり、
前記表示制御手段は、前記一連の複数の画像データの入力が全て終了した後に、前記グループ化の条件が変更可能である旨を表示する、前記［２］に記載の画像処理装置。
［５］前記出力形式は、前記画像データの種類を示す画像種が混在する第２の出力形式であり、
前記グループ化手段は、前記画像種ごとにグループ化する、前記［１］に記載の画像処理装置。
［６］前記第２の出力形式は、主として文字で構成された画像データと主として写真で構成された画像データとが混在し、
前記グループ化手段は、少なくとも前記主として写真で構成された画像データをグループ化する、前記［５］に記載の画像処理装置。
［７］前記第２の出力形式は、主として白黒のデータで構成された画像データと主としてカラーのデータで構成された画像データとが混在し、
前記グループ化手段は、少なくとも前記主としてカラーのデータで構成された画像データをグループ化する、前記［５］に記載の画像処理装置。
［８］前記表示制御手段は、前記出力形式が特定の出力形式以外の場合において、前記一連の複数の画像データの入力が全て終了する前でも要求された場合に、現在表示されている画面を遷移させずに前記グループ化の条件を変更するための変更画面を表示するよう制御する、前記［１］から［３］、［５］から［７］のいずれか１つに記載の画像処理装置。
［９］前記生成手段は、前記変更画面上で前記グループ化の条件が変更された場合に、変更された前記グループの内容を反映した前記プレビュー画像を生成する、前記［８］に記載の画像処理装置。
［１０］前記出力形式が前記複数の画像データの入力が全て終了した後でなければページの割り付け決まらない出力形式である場合は、前記表示制御手段は、前記複数の画像データの入力が全て終了した後に前記グループ化の条件が変更可能である旨を表示する、前記［１］に記載の画像処理装置。
［１１］前記表示制御手段は、要求がされた場合に、現在表示されている画面を遷移させずに前記複数の画像データに対して個別に前記グループ化の対象に含めるか、又は前記グループ化の対象から外すかを設定することが可能な設定画面を表示するよう制御する、前記［１］から[１０]のいずれか１つに記載の画像処理装置。
［１２］コンピュータを、順次読み取られた一連の複数の画像データを入力する入力手段と、
前記一連の複数の画像データの全てが入力される前に、出力形式に応じて予め定められた画像データの出力条件で前記一連の複数の画像データのグループ化を開始するグループ化手段と、
前記グループ化手段によりグループ化された前記一連の複数の画像データのプレビュー画像を生成する生成手段と、
前記プレビュー画像をグループごとに識別する態様で表示するよう制御する表示制御手段、として機能させるためのプログラム。
【発明の効果】
【０００７】
請求項１、２、１２に係る発明によれば、順次読み取られた一連の複数の画像データをグループ化したプレビュー画像をリアルタイムに表示することが可能になる。
請求項３に係る発明によれば、出力形式が集約形式の場合、同一の用紙に印刷される複数のプレビュー画像が表示されるごとにグループ化の妥当性を確認することができる。
請求項４、１０に係る発明によれば、出力形式が製本形式のように画像データの入力が全て終了した後でなければ、グループ化の条件を変更できない場合に、そのタイミングをユーザに知らせることができる。
請求項５−７に係る発明によれば、出力形式が第２の出力形式の場合、画像種ごとにグループ化の妥当性を確認することができる。
請求項８、９に係る発明によれば、プレビュー画像を見ながらグループ化の条件を変更することができる。
請求項１１に係る発明によれば、グループ化されたプレビュー画像に対して個別にグループ化の対象に含めるか、グループ化の対象から外すかを設定することができる。
【図面の簡単な説明】
【０００８】
【図１】図１は、本発明の第１の実施の形態に係る画像処理装置の制御系の一例を示すブロック図である。
【図２】図２は、プレビュー表示画面の一例を示す図である。
【図３】図３は、グループ設定メニュー画面の一例を示す図である。
【図４】図４は、個別設定メニュー画面の一例を示す図である。
【図５】図５は、ユーザの選択によりグループ化した状態が表示されたプレビュー表示画面の一例を示す図である。
【図６】図６は、２−ｕｐモードに対応して自動的にグループ化された状態が表示されたプレビュー表示画面の一例を示す図である。
【図７】図７は、第１の実施の形態に係る画像処理装置の動作の一例を示すフローチャートである。
【図８】図８（ａ）は、原稿が偶数枚の場合の製本モードを説明するための図、図８（ｂ）は、原稿が奇数枚の場合の製本モードを説明するための図である。
【図９】図９は、製本モードにおけるプレビュー画面の一例を示す図である。
【図１０】図１０は、製本モードで偶数枚のページに対してグループ化した状態を示すプレビュー表示画面の一例を示す図である。
【図１１】図１１は、製本モードで奇数枚のページに対してグループ化した状態を示すプレビュー表示画面の一例を示す図である。
【図１２】図１２は、第２の実施の形態に係る画像処理装置の動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本発明の実施の形態に係る画像処理装置は、順次読み取られた一連の複数の画像データを入力する入力手段と、一連の複数の画像データの全てが入力される前に、出力形式に応じて予め定められた画像データの出力条件で一連の複数の画像データのグループ化を開始するグループ化手段と、グループ化手段によりグループ化された一連の複数の画像データのプレビュー画像を生成する生成手段と、プレビュー画像をグループごとに識別する態様で表示するよう制御する表示制御手段とを備える。
【００１１】
「一連の複数の画像データ」は、同一の出力形式の対象となる画像データをいう。主には、自動原稿送り装置で送り込まれた複数の原稿から順次読み取られた一連の複数の画像データが該当する。
【００１２】
「出力形式」とは、画像データを用紙に印刷して出力する際の形式をいう。「出力条件」とは、出力形式の具体的な条件をいう。例えば、出力形式をＮ−ｕｐモードとした場合、Ｎを具体的な値とした２−ｕｐモード等が出力条件となる。ここで「Ｎ−ｕｐモード」とは、連続したＮ（２以上の整数）枚の原稿画像を１枚の用紙に集約して印刷する形式をいう。
【００１３】
出力形式には、例えば、複数の画像データを同一の用紙に印刷する第１の出力形式と、画像データの種類を示す画像種が混在する第２の出力形式とがある。第１の出力形式には、Ｎ−ｕｐモード、製本モード等がある。第２の出力形式には、文書・写真混在モード、白黒・カラー混在モード等がある。Ｎ−ｕｐモードは、集約形式の一例である。製本モードは、製本形式又は特定の出力形式の一例である。
【００１４】
「製本モード」とは、２つ折りの本になるようにページを割り付けて印刷する形式をいう。「文書・写真混在モード」とは、１つのページに対する写真の面積が一定の割合以下の場合は、文字モードで印刷し、一定の割合を超える場合は、写真モードで印刷する形式をいう。ここで、文字モードとは、２値で原稿画像を読み取って印刷するモードのことである。写真モードとは、多値で原稿画像を読み取って印刷するモードのことである。「白黒・カラー混在モード」とは、１つのページに対するカラーの面積が一定の割合以下の場合は、白黒モードで印刷し、一定の割合を超える場合は、カラーモードで印刷する形式をいう。
【００１５】
「グループごとに識別する態様」には、文字、色、点滅等で識別する態様が含まれる。具体的には、グループ化したプレビュー画像をハイライト表示することや、プレビュー画像全体に他と識別し得る色やパターンを付加すること、プレビュー画像の縁に異なる色やパターン、枠線を付加すること等が含まれる。また、プレビュー画像を読み取られた順序に従って画面に表示してもよい。この場合、グループ化された画像データの一部を画面に表示し、表示位置を上下左右に移動する操作（スクロール操作や、ページを切り替える操作等）によって表示する画像データを変更してもよい。また、プレビュー画像の表示形式を読み取り画像の個別のページ毎に表示するモードだけではなく、出力される状態（例えば、２−ｕｐモードの場合、１枚の用紙上に２ページ分の画像が配置された状態）で表示するモードに切り替え可能にしてもよい。
【００１６】
［第１の実施の形態］
図１は、本発明の第１の実施の形態に係る画像処理装置の制御系の一例を示すブロック図である。この画像処理装置１は、制御部２と、記憶部３と、操作表示部４と、画像読取部５と、画像処理部６と、画像形成部７と、後処理部８とを備える。このような画像処理装置１として、例えば、スキャン、プリント、コピー、電子メール、ファックス等の複数の機能を有する複合機を用いることができる。
【００１７】
制御部２は、ＣＰＵ（Central Processing Unit）、インターフェース等から構成されている。ＣＰＵは、プログラム３０に従って動作することにより、設定手段２０、画像データ入力手段２１、プレビュー画像生成手段２３、表示制御手段２４、グループ化手段２２、実行手段２５等として機能する。各手段２０〜２５の詳細については後述する。
【００１８】
記憶部３は、ＲＯＭ（Read Only Memory）、ＲＡＭ（Random Access Memory）、ハードディスク等から構成され、プログラム３０と、原稿画像３１と、プレビュー画像３２とを含む各種の情報を記憶する。
【００１９】
操作表示部４は、液晶ディスプレイ等の表示部にタッチパネルが重合配置されたタッチパネルディスプレイを有し、メニュー画面、設定画面、プレビュー表示画面（図３等参照）等の画面を表示部に表示するとともに、操作者からタッチパネルへの操作を受け付ける。
【００２０】
画像読取部５は、原稿台上に設けられた自動原稿送り装置と、原稿台に配置された原稿、又は自動原稿送り装置により送られた原稿から画像データを読み取るスキャナとを備える。画像読取部５は、読み取った画像データを原稿画像３１として記憶部３に記憶する。
【００２１】
画像処理部６は、画像の圧縮、伸長、合成等の画像処理を行う。画像形成部７は、例えば、電子写真方式、インクジェット方式等により用紙等の記録媒体に白黒画像又はカラー画像を形成する。
【００２２】
後処理部８は、印刷された用紙に後処理を施す。後処理としては、例えば、複数枚の印刷物を綴じるステープル処理、印刷物の端部等に穴を開けるパンチ処理、接着剤を用いて印刷物を束ねて製本する製本処理等がある。
【００２３】
次に、制御部２の各手段２０〜２５について説明する。
【００２４】
設定手段２０は、グループ設定メニュー画面１２（図３参照）、個別設定メニュー画面１３（図４参照）等の画面上で設定された内容を受け付ける。また、設定手段２０は、画像読取部５の読取処理における読取パラメータを受け付ける。
【００２５】
画像データ入力手段２１は、画像読取部５によって順次読み取られた一連の複数の画像データを入力し、それを原稿画像３１として記憶部３に記憶する。
【００２６】
グループ化手段２２は、一連の複数の画像データの全てが入力される前に、出力形式に応じて予め定められた画像データの出力条件で一連の複数の画像データのグループ化を開始する。本実施の形態の出力形式には、例えば、上述したＮ−ｕｐモード、文書・写真混在モード、白黒・カラー混在モード等が含まれ、後述する第２の実施の形態で説明する製本モード等は含まれない。本実施の形態の出力形式に応じたグループ化としては、例えば、以下のものがある。
【００２７】
グループ化手段２２は、出力形式が第１の出力形式の場合、同一の用紙に印刷する複数の画像データごとにグループ化する。具体的には、Ｎ−ｕｐモードでは、例えば、出力条件として２−ｕｐモードが指定された場合、１ページ目と２ページ目、３ページ目と４ページ目のように、ｎページ目と（ｎ＋１）ページ目が組となるようにグループ化する。グループ化された画像データは、１枚の用紙の同一の面に印刷される。
【００２８】
グループ化手段２２は、出力形式が第２の出力形式の場合、画像種ごとにグループ化する。具体的には、文書・写真混在モードでは、１つのページに対する写真の面積が一定の割合を超える画像データを写真のページのグループとしてグループ化する。なお、写真のページをグループ化するとともに、文字のページをグループ化してもよい。
【００２９】
また、白黒・カラー混在モードでは、１つのページに対するカラーの面積が一定の割合を超える画像データをカラーのページのグループとしてグループ化する。なお、カラーのページをグループ化するとともに、白黒のページをグループ化してもよい。
【００３０】
プレビュー画像生成手段２３は、画像読取部５の自動原稿送り装置から順次送り込まれた原稿から読み取られ、入力手段２１により記憶部３に記憶された原稿画像３１からプレビュー画像を順次生成し、プレビュー画像３２として記憶部３に記憶する。プレビュー画像３２は、例えば、原稿画像３１の解像度を低下させた画像である。なお、プレビュー画像生成手段２３は、原稿台に配置された原稿から読み取られた原稿画像３１からプレビュー画像を生成し、それを表示制御手段２４により表示してもよい。
【００３１】
表示制御手段２４は、プレビュー画像をグループごとに識別する態様で表示するよう制御する。具体的には、表示制御手段２４は、プレビュー画像生成手段２３によって順次生成されたプレビュー画像３２をプレビュー表示画面１０（図２等参照）に表示するよう制御する。
【００３２】
また、表示制御手段２４は、プレビュー表示画面１０の表示中にユーザによる操作表示部４の操作に応じて、設定内容表示画面１１（図２参照）、グループ設定メニュー画面１２（図３参照）、又は個別設定メニュー画面１３（図４参照）をプレビュー表示画面１０の前面に重畳して表示する。ここで、グループ設定メニュー画面１２は、現在表示されているプレビュー表示画面１０を遷移させずに表示される変更画面の一例である。個別設定メニュー画面１３は、現在表示されているプレビュー表示画面１０を遷移させずに表示される設定画面の一例である。
【００３３】
実行手段２５は、選択された出力形式に対して設定された出力条件で画像データを用紙に印刷して出力するように画像形成部７、後処理部８等を制御して印刷ジョブを実行する。
【００３４】
図２は、操作表示部４の表示部に表示されるプレビュー表示画面の一例を示す図である。プレビュー表示画面１０には、画像読取部５で順次読み取られた原稿画像３１に対応するプレビュー画像３２が順次表示される。図２に示す場合は、プレビュー表示画面１０には、画像読取部５で読み取られた１ページ目から６ページ目の原稿画像３１に対応するプレビュー画像３２１〜３２６が左側から右側に向かって表示される。７ページ目が読み取られてプレビュー画像３２７が生成されると、１ページ目から６ページ目のプレビュー画像３２１〜３２６が左の方向に全体的に移動してプレビュー表示画面１０の左端に２ページ目のプレビュー画像３２２が表示され、右端に７ページ目のプレビュー画像３２７が表示される。このように原稿が順次読み取られ、プレビュー画像３２が順次生成されると、複数のプレビュー画像３２が左に流れるようにプレビュー表示画面１０に表示される。
【００３５】
また、ユーザによる操作表示部４の操作で設定内容の表示が要求されると、図２に示すように、設定内容表示画面１１が表示制御手段２４の制御によりプレビュー表示画面１０の前面に重畳して表示される。設定内容表示画面１１は、現状の設定内容を表示するものであり、出力形式、画質設定、グループ化設定条件等の複数の項目を有する。出力形式の項目には、２−ｕｐモード等の出力形式に対応した出力条件が表示される。画質設定の項目には、文字モード／写真モード、解像度等が表示される。グループ化条件設定の項目には、グループ化条件の内容が表示される。
【００３６】
図３は、操作表示部４の表示部に表示されるグループ設定メニュー画面の一例を示す図である。グループ設定メニュー画面１２は、ユーザによる操作表示部４の操作でグループ化条件の設定が要求されることにより、表示制御手段２４の制御によりプレビュー表示画面１０の前面に重畳して表示される。グループ設定メニュー画面１２には、グループ化条件を設定するための「自動選択」、「条件設定」、「ユーザ選択」等の複数のボタン１２ａ〜１２ｃが表示され、グループ化条件の設定内容を解除するための「グループ化解除」のボタン１２ｄが表示される。
【００３７】
「自動選択」ボタン１２ａを操作した場合、図６に示すように、プレビュー画像がグループ化手段２２によりグループ化されて表示される。「条件設定」ボタン１２ｂが操作された場合、グループ化する条件を設定するための画面（図示せず）が表示される。「ユーザ選択」ボタン１２ｃを操作した場合、図５に示すように、グループ化するプレビュー画像３２を個別に選択することができる。
【００３８】
図４は、操作表示部４の表示部に表示される個別設定メニュー画面の一例を示す図である。個別設定メニュー画面１３は、ユーザによる操作表示部４の操作で個別の設定が要求されることにより、表示制御手段２４の制御によりプレビュー表示画面１０の前面に重畳して表示される。個別設定メニュー画面１３は、グループ設定メニュー画面１２で設定されたグループ化条件でグループ化されたページや、グループ化されていないページに対して個別に設定できるようにしたものである。個別設定メニュー画面１３には、「画質設定」、「仕上がり状態設定」等の複数のボタン１３ａ、１３ｂ、・・・が表示される。
【００３９】
「画質設定」ボタン１３ａを操作した場合、文字モード／写真モード、解像度等を設定できる。「仕上がり状態設定」ボタン１３ｂを操作した場合、ステープル、パンチ、ページ振り等を設定できる。例えば、出力形式がカラー印刷の場合に、ページによってはカラーで印刷せずに白黒で印刷してもよいときは、個別設定メニュー画面１３でプレビュー表示画面１０に表示されたカラーのプレビュー画像３２のうち白黒で印刷するページを選択し、「色」ボタン（図示せず）を操作して設定することもできる。
【００４０】
図５は、ユーザの選択によりグループ化した状態が表示されたプレビュー表示画面の一例を示す図である。プレビュー表示画面１０に表示された複数のプレビュー画像３２１〜３２６のうち、選択されたプレビュー画像３２１、３２３、３２５が選択されていない他のプレビュー画像３２２、３２４、３２６とは異なる表示態様、例えば、ハイライト表示（図５中ハッチングで示す。）される。ハイライト表示は、グループごとに視覚的に識別可能に表示する態様の一例である。図５に示すプレビュー表示画面１０は、図３に示すグループ設定メニュー画面１２で「ユーザ選択」ボタン１２ｃが操作された場合に表示される。
【００４１】
図６は、２−ｕｐモードに対応して自動的にグループ化された状態が表示されたプレビュー表示画面の一例を示す図である。プレビュー表示画面１０に表示された複数のプレビュー画像３２１〜３２６のうち、グループ化されたそれぞれのプレビュー画像３２ごとに異なる表示態様で表示される。図６に示す場合は、１ページ目及び２ページ目のプレビュー画像３２１、３２２と、３ページ目及び４ページ目のプレビュー画像３２３、３２４と、５ページ目及び６ページ目のプレビュー画像３２５、３２６とがそれぞれグループを構成するものとして異なる表示態様で表示されている。異なる表示態様としては、プレビュー画像３２全体に異なる色やパターンを付加してもよいし、プレビュー画像３２の縁に異なる色やパターン、枠線を付加してもよい。これらの色、パターン、枠線は、グループごとに視覚的に識別可能に表示する態様の一例である。２−ｕｐモードで印刷した場合、１ページ目と２ページ目が１枚目の用紙に印刷され、３ページ目と４ページ目が２枚目の用紙に印刷され、５ページ目と６ページ目が３枚目の用紙に印刷される。図６に示すプレビュー表示画面１０は、図３に示すグループ設定メニュー画面１２で「自動選択」ボタン１２ａが操作された場合に表示される。
【００４２】
（第１の実施の形態の動作）
次に、画像処理装置１の動作の一例について図７を参照して説明する。図７は、画像処理装置１の動作の一例を示すフローチャートである。
【００４３】
ユーザは、操作表示部４を操作して出力形式の設定、読取パラメータの設定、グループ化条件の設定を行う（Ｓ１）。出力形式の設定には、出力形式の選択と出力条件の設定等がある。読取パラメータの設定には、スキャナが原稿から画像データを読み取る際の読取解像度、読取倍率等のパラメータの設定がある。グループ化条件の設定には、図３で説明したグループ化条件の設定がある。
【００４４】
グループ化手段２２は、グループ化の自動が設定されているか否かをグループ化条件の設定に基づいて判断する（Ｓ２）。グループ化の自動が設定されている場合は（Ｓ２：Ｙｅｓ）、出力形式に対応した出力条件に従ってグループ化を実行する（Ｓ３）。
【００４５】
ユーザが指定されたグループ化条件でグループ化を実行する（Ｓ４）。
【００４６】
原稿の１ページ目の読取を行う（Ｓ５）。画像読取部５は、ステップＳ１で設定された読取パラメータに従って原稿から画像データを読み取り、入力手段２１がそれを原稿画像３１として記憶部３に記憶する。
【００４７】
グループ化手段２２は、記憶部３に記憶された原稿画像３１に対してグループ化の判定を行う（Ｓ６）。ここでは、原稿画像３１がグループ化の対象であるか否か、グループ化する場合はどのグループに属するか等を判定する。
【００４８】
プレビュー画像生成手段２３は、記憶部３に記憶された原稿画像３１からプレビュー画像３２を生成し、記憶部３に記憶する。表示制御手段２４は、プレビュー画像生成手段２３によって生成されたプレビュー画像３２をプレビュー表示画面１０に表示するよう制御する（Ｓ７）。プレビュー画像３２が表示された後にグループ化されるよりもグループ化したプレビュー画像３２をリアルタイムに表示することができる。
【００４９】
設定手段２０は、ユーザから要求の有無を判断する（Ｓ８）。ユーザからの要求があれば（Ｓ８：Ｙｅｓ）、ユーザが要求する画面、例えばグループ設定メニュー画面１２、個別設定メニュー画面１３等を表示し、設定を受け付ける（Ｓ９）。
【００５０】
プレビュー画像生成手段２３は、ユーザの設定変更に基づいてプレビュー画像３２を修正する（Ｓ１０）。
【００５１】
上記ステップＳ５〜Ｓ１０を全ての原稿に対して終わるまで繰り返す（Ｓ１１）。
【００５２】
［第２の実施の形態］
本発明の第２の実施の形態に係る画像形成装置１は、第１の実施の形態とはグループ化手段２２が異なる。本実施の形態のグループ化手段２２は、製本モードにも対応できるようにしたものである。以下、第１の実施の形態と異なる点を中心に説明する。
【００５３】
グループ化手段２２は、出力形式が製本モードのように複数の画像データの入力が全て終了した後でなければページの割り付け決まらない出力形式である場合は、一連の複数の画像データの入力が全て終了した後に、後述する図１０、図１１に示すように、原稿枚数が偶数か奇数かに応じたグループ化を行う。出力形式が複数の画像データの入力が全て終了した後でなければページの割り付け決まらない出力形式としては、製本モード以外に、例えば、接着剤を用いずに印刷物を製本のように束ねる出力形式がある。
【００５４】
製本モードでは、全ての原稿を読み取って原稿の枚数が確定した後でなければ、グループ化ができない。例えば、図８（ａ）に示すように、原稿の枚数が偶数（例えば、４枚）の場合は、４ページ目と１ページ目が用紙Ｐの表面Ｐａ用としてグループ化され、２ページ目と３ページ目が用紙Ｐの裏面Ｐｂ用としてグループ化される。また、例えば、図８（ｂ）に示すように、原稿の枚数が奇数（例えば、３枚）の場合は、３ページ目と１ページ目が用紙Ｐの表面Ｐａ用としてグループ化され、２ページ目と２ページ目に対向するページ（白紙ページ）が用紙Ｐの裏面Ｐｂ用としてグループ化される。
【００５５】
表示制御手段２４は、出力形式が製本モードのように複数の画像データの入力が全て終了した後でなければページの割り付け決まらない出力形式である場合は、一連の複数の画像データの入力が全て終了した後にグループ化の条件が変更可能である旨を表示する。その表示例を図９に示す。
【００５６】
図９は、製本モードにおけるプレビュー画面の一例を示す図である。プレビュー表示画面１０に「読取動作が完了しないとグループ分けは確定しません。」のようなメッセージ１４が表示される。メッセージ１４は、グループ化の条件が変更可能である旨の一例である。
【００５７】
図１０は、製本モードで偶数枚のページに対してグループ化した状態を示すプレビュー表示画面の一例を示す図である。１ページ目のプレビュー画像３２１と４ページ目のプレビュー画像３２４が用紙Ｐの表面Ｐａ用としてグループ化され、２ページ目のプレビュー画像３２２と３ページ目のプレビュー画像３２３が用紙Ｐの裏面Ｐｂ用としてグループ化される。グループごとに異なる態様でプレビュー画像３２が表示される。
【００５８】
図１１は、製本モードで奇数枚のページに対してグループ化した状態を示すプレビュー表示画面の一例を示す図である。１ページ目のプレビュー画像３２１と３ページ目のプレビュー画像３２３が用紙Ｐの表面Ｐａ用としてグループ化され、２ページ目のプレビュー画像３２２と白紙が用紙Ｐの裏面Ｐｂ用としてグループ化される。グループごとに異なる態様でプレビュー画像３２が表示される。
【００５９】
（第２の実施の形態の動作）
次に、画像処理装置１の動作の一例について図１２を参照して説明する。図１２は、画像処理装置１の動作の一例を示すフローチャートである。
【００６０】
ユーザは、第１の実施の形態と同様に、操作表示部４を操作して出力形式の設定、読取パラメータの設定、グループ化条件の設定を行い（Ｓ１）、グループ化手段２２は、グループ化の自動が設定されているか否かをグループ化条件の設定に基づいて判断する（Ｓ２）。
【００６１】
グループ化の自動が設定されている場合は（Ｓ２：Ｙｅｓ）、グループが確定しているか否かを判断する（Ｓ２１）。
【００６２】
グループが確定していない場合は（Ｓ２１：Ｎｏ）、グループ化確定タイミングをユーザに画面上で通知する（Ｓ２２）。
【００６３】
グループが確定している場合は（Ｓ２１：Ｙｅｓ）、第１の実施の形態と同様に、出力形式に対応した出力条件に従ってグループ化を実行し（Ｓ３）、ユーザが指定されたグループ化条件でグループ化を実行する（Ｓ４）。
【００６４】
原稿の１ページ目の読取を行う（Ｓ５）。画像読取部５は、ステップＳ１で設定された読取パラメータに従って原稿から画像データを読み取り、それを原稿画像３１として記憶部３に記憶する。
【００６５】
グループ化手段２２は、記憶部３に記憶された原稿画像３１に対してグループ化の判定を行う（Ｓ６）。ステップＳ６以降は図７と同様であるので、説明を省略する。
【００６６】
以上、本発明の実施の形態を説明したが、本発明の実施の形態は上記実施の形態に限定されるものではなく、本発明の要旨を変更しない範囲内で種々の変形、実施が可能である。例えば、上記実施の形態では、画像読取部と画像形成部とを備えた画像処理装置について説明したが、スキャナとプリンタとの間に接続されたパーソナルコンピュータ（例えば、サーバ装置）等の画像処理装置でもよい。
【００６７】
制御部２の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００６９】
１…画像処理装置、２…制御部、３…記憶部、４…操作表示部、５…画像読取部、６…画像処理部、７…画像形成部、８…後処理部、１０…プレビュー表示画面、１２…グループ設定メニュー画面、１２ａ〜１２ｄ…ボタン、１３…個別設定メニュー画面、１３ａ、１３ｂ…ボタン、１４…メッセージ、２０…設定手段、２１…画像データ入力手段、２２…グループ化手段、２３…プレビュー画像生成手段、２４…表示制御手段、２５…実行手段、３０…プログラム、３１…原稿画像，３２…プレビュー画像、Ｐ…用紙、Ｐａ…表面、Ｐｂ…裏面
【図１】
2019220822.tif 000003
【図２】
2019220822.tif 000004
【図３】
2019220822.tif 000005
【図４】
2019220822.tif 000006
【図５】
2019220822.tif 000007
【図６】
2019220822.tif 000008
【図７】
2019220822.tif 000009
【図８】
2019220822.tif 000010
【図９】
2019220822.tif 000011
【図１０】
2019220822.tif 000012
【図１１】
2019220822.tif 000013
【図１２】
2019220822.tif 000014